(57)【要約】      （修正有）【課題】強い強度を有し、かつ美的効果の優れたキャディバッグを提供する。【解決手段】筒状に形成されて下端が閉じ上端に開口部３aを有するバッグ本体３と、該開口部３aを覆う可撓性のあるフードと、該バッグ本体３の正面下部に設けられるポケット７と、該バッグ本体３の背面に設けられる収容部９とを備え、該バッグ本体３が金属材料によって構成される。金属材料としては、アルミニウム又はアルミニウム合金であることが好ましい。【選択図】図２
0003144630.tif 000002
【実用新案登録請求の範囲】
【請求項１】
筒状に形成されて下端が閉じ上端に開口部（３ａ）を有するバッグ本体（３）と、該開口部（３ａ）を覆う可撓性のあるフード（５）と、該バッグ本体（３）の正面下部に設けられるポケット（７）と、該バッグ本体（３）の背面に設けられる収容部（９）とを備え、該バッグ本体（３）が金属材料によって構成されることを特徴とするキャディバッグ（１）。
【請求項２】
前記バッグ本体（３）の底部の円筒周縁部（３ｃ）及び前記開口部（３ａ）を形成する口枠部（３ｂ）が柔軟な素材によって被覆されることを特徴とする請求項１記載のキャディバッグ。
【請求項３】
前記ポケット（７）が柔軟な素材によって構成されるポケット蓋（７ａ）を備え、該ポケット（７）のポケット本体（７ｂ）が金属材料によって構成されることを特徴とする請求項１又は２記載のキャディバッグ。
【請求項４】
前記収容部（９）が柔軟な素材によって構成される収容部蓋（９ａ）を備え、該収容部（９）の収容部本体（９ｂ）が金属材料によって構成されることを特徴とする請求項１〜３のいずれか１項記載のキャディバッグ。
【請求項５】
前記金属材料がアルミニウム又はアルミニウム合金であることを特徴とする請求項１〜４のいずれか１項記載のキャディバッグ。
【請求項６】
前記柔軟な素材が皮革であることを特徴とする請求項２〜５のいずれか１項記載のキャディバッグ。
【考案の詳細な説明】
【技術分野】
【０００１】
本考案は、ゴルフクラブを収納するキャディバッグに関する。
【背景技術】
【０００２】
従来のキャディバッグは、プラスチックや塩化ビニールの骨組みに、布やビニール又は合成皮革を組み合わせて作られているため、強度的に弱かった。
強度を向上させるために、パイプフレームがガードとなるようにして、筒状本体が変形したり破損したりすることを防止する試みがなされたが、十分ではなかった。（特許文献１参照）
【特許文献１】特２００１−１９８２５０号公報
【考案の開示】
【考案が解決しようとする課題】
【０００３】
このように強度的に弱い従来のキャディバッグでは、特に横からの衝撃に弱く、クラブを入れたまま、バッグごと足で踏めばクラブが変形したり、車のトランクに横積みして輸送したような場合に、キャディバッグ自体が変形したり破損したりすることが生じることがあった。
【０００４】
さらに別の観点では、従来のキャディバッグは、他人との違いを際立てさせたいというゴルファーの欲求を満たすものではなかった。つまり、誰もが持っているものとは違う自分だけのものを所有し、他人との違いを際立てさせることを可能にする、高級感があり美的効果の優れたキャディバッグは存在しなかった。
【０００５】
本発明は、上記のような課題に鑑みてなされたものであり、強い強度を有し、かつ美的効果の優れたキャディバッグを提供することを目的とする。
【課題を解決するための手段】
【０００６】
本考案にかかるキャディバッグ（１）は、筒状に形成されて下端が閉じ上端に開口部（３ａ）を有するバッグ本体（３）と、該開口部（３ａ）を覆う可撓性のあるフード（５）と、該バッグ本体（３）の正面下部に設けられるポケット（７）と、該バッグ本体（３）の背面に設けられる収容部（９）とを備え、該バッグ本体（３）が金属材料によって構成される。
【０００７】
上記キャディバッグ（１）では、バッグ本体（３）が金属材料によって構成されるので、横からの衝撃にも強く、クラブを入れたまま、バッグごと足で踏んでもクラブが変形せず、車のトランクに横積みして輸送したような場合にも、変形したり破損したりしない。また、高級感があり美的効果も優れている。
【０００８】
前記バッグ本体（３）の底部の円筒周縁部（３ｃ）及び前記開口部（３ａ）を形成する口枠部（３ｂ）が柔軟な素材によって被覆されることが好ましい。このキャディバッグでは、バッグ本体を構成する硬い金属材料に柔軟な素材によるアクセントがつくため、さらに美的効果が向上する。
【０００９】
前記ポケット（７）が柔軟な素材によって構成されるポケット蓋（７ａ）を備え、該ポケット（７）のポケット本体（７ｂ）が金属材料によって構成されることが好ましい。このキャディバッグでは、ポケット本体（７ｂ）が金属材料によって構成されるので、ポケットの強度が向上する。また、ポケット蓋（７）が柔軟な素材によって構成されるので、ポケットからの小物の出し入れが容易となる。
【００１０】
前記収容部（９）が柔軟な素材によって構成される収容部蓋（９ａ）を備え、該収容部（９）の収容部本体（９ｂ）が金属材料によって構成されることが好ましい。このキャディバッグでは、収容部本体（９ｂ）が金属材料によって構成されるので、収容部の強度が向上する。また、収容部蓋（９ａ）が柔軟な素材によって構成されるので、収容部から物品を容易に出し入れすることができる。
【００１１】
前記金属材料がアルミニウム又はアルミニウム合金であることが好ましい。このキャディバッグでは、金属材料が軽量なアルミニウム又はアルミニウム合金であるため重量が抑えられる。また、錆にくいため耐久性が増す。アルミニウム合金としては、例えばジュラルミンがあげられる。
【００１２】
前記柔軟な素材が皮革であることが好ましい。このキャディバッグでは、柔軟な素材が皮革であるためバッグ本体の金属材料と相まって高級感をかもしだすことができ、美感性もさらに向上する。本考案において、皮革には、天然皮革のみならず、人工皮革・天然皮革が含まれる。
【考案の効果】
【００１３】
本考案にかかるキャディバッグは、バッグ本体が金属材料によって構成されているので、運搬及び積載に強い強度を有し、かつ美的効果の優れたキャディバッグを提供できる。
【考案を実施するための最良の形態】
【００１４】
以下、本考案の実施の形態について詳細に説明するが、本考案は、これに限定されて解釈されるものではなく、本考案の範囲を逸脱しない限りにおいて、当事業者の知識に基づいて、種々の変更、修正、改良を加え得るものである。また、以下の説明において、把手１１及びポケット７が設けられている側を正面、これに対向する側を背面という。
【００１５】
図１は本考案の一実施形態であるキャディバッグ１を説明する斜視図を示す。
バッグ本体３は、金属材料であるアルミニウムにて筒状に形成されている。そして、その下端が閉じ上端に開口部３ａを有する。上端の開口部３ａは柔軟な素材である合成皮革にて形成されたフードに覆われている。キャディバッグ１の正面には取手１１とショルダーベルト１３が取り付けられ、その下に本体７ｂがアルミニウムで形成されたポケット７が設けられている。キャディバッグ１の背面には、本体９ｂがアルミニウムで形成された収容部９が設けられている。
【００１６】
図２は本考案の一実施形態であるキャディバッグ１のバッグ本体３を説明する斜視図を示す。
バッグ本体３は、アルミニウムで筒状に形成されている。このため、横からの衝撃にも強く、クラブを入れたまま、バッグごと足で踏んでもクラブが変形したり、車のトランクに横積みして輸送したような場合にも、変形したり破損したりすることが生じない。
バッグ本体３の底部の円筒周縁部３ｃ及び上部の口枠部３ｂは合成皮革によって被覆されている。
【００１７】
図３は本考案の一実施形態であるキャディバッグ１の収容部９を説明する説明図を示す。
収容部９はキャディバッグ１の背面に設けられ、その中に、シューズ、雨具、ウェアや手ぬぐいなどを収容することができる。アルミニウムにて形成された収容部本体９ｂは、複数の鋲９ｄでバッグ本体３に固着されている。収容部本体９ｂは開口部９ｃを有しており、その開口部９ｃは合成皮革にて形成され、収容部本体９ｂに脱着可能に取り付けられた収容部蓋９ａで蓋をされる。
【００１８】
図４は本考案の一実施形態であるキャディバッグ１のポケット７を説明する説明図を示す。
ポケット７はキャディバッグ１の正面下部に設けられ、ボールや手袋などの小物を入れることができる。アルミニウムにて形成されたポケット本体７ｂは、複数の鋲７ｄでバッグ本体３に固着されている。ポケット本体７ｂは開口部７ｃを有しており、その開口部７ｃは合成皮革にて形成され、ポケット本体７ｂに脱着可能に取り付けられたポケット蓋７ａで蓋をされる。
【産業上の利用可能性】
【００１９】
本考案は、強い強度を有し、かつ美的効果の優れたゴルフクラブを収納するキャディバッグとして利用することができる。
【図面の簡単な説明】
【００２０】
【図１】本考案の一実施形態であるキャディバッグ１を示す斜視図である。
【図２】本考案の一実施形態であるキャディバッグ１のバッグ本体３を示す斜視図である。
【図３】本考案の一実施形態であるキャディバッグ１の収容部９を示す説明図である。
【図４】本考案の一実施形態であるキャディバッグ１のポケット７を示す説明図である。
【符号の説明】
【００２１】
１        キャディバッグ
３        バッグ本体
５        フード
７        ポケット
９        収容部
１１      取手
１３      ショルダーベルト
【図１】
0003144630.tif 000003
【図２】
0003144630.tif 000004
【図３】
0003144630.tif 000005
【図４】
0003144630.tif 000006